(57)【要約】【課題】手間をかけずに容易に光学補償素子を調整することが可能なプロジェクターを提供する。【解決手段】本発明のプロジェクターは、光源と、光源から射出された光を変調する液晶パネル２５ａと、光源から射出された光の光軸Ｌ上に設けられた光学補償素子２６ａと、光学補償素子２６ａの光軸Ｌと直交する面内における回転角、又は、光学補償素子２６ａの法線と光軸Ｌとの成す角である煽り角を調整する調整手段と、光源、液晶パネル２５ａ、及び光学補償素子２６ａを内部に収容する筐体３８と、を有し、調整手段の一部が筐体３８の外部に配置され、外部に配置された調整手段の一部を用いて光学補償素子２６ａの回転角又は煽り角を調整可能に構成されていることを特徴とする。【選択図】図３
2010286691.tif 000002
【特許請求の範囲】
【請求項１】
光源と、
前記光源から射出された光を変調する液晶パネルと、
前記光源から射出された光の光軸上に設けられた光学補償素子と、
前記光学補償素子の前記光軸と直交する面内における回転角、又は、前記光学補償素子の法線と前記光軸との成す角である煽り角を調整する調整手段と、
前記光源、前記液晶パネル、及び前記光学補償素子を内部に収容する筐体と、を有し、
前記調整手段の一部が前記筐体の外部に配置され、該外部に配置された前記調整手段の一部を用いて前記光学補償素子の前記回転角又は前記煽り角を調整可能に構成されていることを特徴とするプロジェクター。
【請求項２】
前記光学補償素子は、前記光軸と直交する面内において回転調整自在に構成され又は前記光軸に対して傾斜調整自在に構成されたホルダーに保持されており、
前記調整手段は、前記ホルダーを前記光軸と直交する面内において回転調整し又は前記光軸に対して傾斜調整することにより、前記光学補償素子の前記回転角又は前記煽り角を調整することを特徴とする請求項１に記載のプロジェクター。
【請求項３】
前記ホルダーは、前記光学補償素子の外周を保持する第１枠体と、前記第１枠体の主面と平行な面内において前記第１枠体を回転可能に支持する支持部材と、を有し、
前記調整手段は、前記第１枠体の前記支持部材上での回転角を調整することにより、前記光学補償素子の前記回転角を調整することを特徴とする請求項２に記載のプロジェクター。
【請求項４】
前記第１枠体と前記支持部材との間に、前記第１枠体の主面と平行な面内において弾性変形することにより前記第１枠体を前記支持部材上で回転させる弾性部材が設けられ、
前記調整手段は、前記弾性部材の弾性変形量を調整することにより前記第１枠体の回転角を調整し、これにより、前記光学補償素子の前記回転角を調整することを特徴とする請求項３に記載のプロジェクター。
【請求項５】
前記調整手段はネジ部材であり、前記ネジ部材の一方の端部は前記第１枠体に設けられた突起部に当接し、前記ネジ部材の他方の端部は前記筐体の外部に配置されており、
前記ネジ部材の他方の端部を締め付けることにより前記弾性部材の弾性変形量が調整され、これにより、前記光学補償素子の前記回転角が調整されることを特徴とする請求項４に記載のプロジェクター。
【請求項６】
前記調整手段は、駆動手段と、前記駆動手段と前記第１枠体との間に設けられ、前記第１枠体に対して前記第１枠体の主面と平行な面内における回転力を付与する歯車機構と、前記駆動手段を操作する操作装置と、を有し、
前記操作装置が前記筐体の外部に設けられ、前記操作装置を用いて前記光学補償素子の前記回転角が調整されることを特徴とする請求項４に記載のプロジェクター。
【請求項７】
前記ホルダーは、前記光学補償素子の外周を保持し、前記光学補償素子の主面と平行な方向に延びる回転軸を中心として回転可能に構成された第２枠体を有し、
前記調整手段は、前記第２枠体の前記回転軸を中心とした回転量を調整することにより、前記光学補償素子の前記煽り角を調整することを特徴とする請求項２に記載のプロジェクター。
【請求項８】
前記ホルダーは、前記第２枠体を前記回転軸を中心として回転可能に支持する軸部材を有し、
前記調整手段はネジ部材であり、前記ネジ部材の一方の端部は前記軸部材に設けられた突起部と当接し、前記ネジ部材の他方の端部は前記筐体の外部に配置されており、
前記ネジ部材の他方の端部を締め付けることにより前記軸部材の前記回転軸を中心とした回転量が調整され、これにより、前記光学補償素子の前記煽り角が調整されることを特徴とする請求項７に記載のプロジェクター。
【請求項９】
前記調整手段は、駆動手段と、前記駆動手段と前記第２枠体との間に設けられ前記第２枠体に前記回転軸を中心とした回転力を付与する歯車機構と、前記駆動手段を操作する操作装置と、を有し、
前記操作装置が前記筐体の外部に設けられ、前記操作装置を用いて前記光学補償素子の前記煽り角が調整されることを特徴とする請求項８に記載のプロジェクター。
【発明の詳細な説明】
【技術分野】
【０００１】
本発明は、プロジェクターに関するものである。
【背景技術】
【０００２】
従来、液晶プロジェクター等の投射型表示装置（プロジェクター）が知られている。従来、液晶プロジェクターにおいては、液晶パネルに対する位相差板（液晶分子の複屈折を補償する光学補償素子）の配置を調整し、最もコントラストが高くなる配置を見つけた後、その配置を保持した状態で出荷されている（例えば、特許文献１参照）。
【０００３】
液晶パネルに対する光学補償素子の配置を調整する技術として、例えば特許文献１では、液晶パネルと偏光板との間に配置された光学補償素子が、光軸に対して傾斜調整自在、かつ、光軸に直交する面内にて回動調整自在に構成されている。これにより、光軸方向から見た光学補償素子内の液晶分子の遅相軸を液晶パネルの液晶分子の配向方向と略平行に設定し、液晶パネル内の液晶分子の光軸方向の遅相軸に対して光学補償素子の見かけ上の遅相軸を一致させることで、コントラストが鮮明で、かつ、均一な画像を写し出すことができるようになっている。
【先行技術文献】
【特許文献】
【０００４】
【特許文献１】特開２００６−３９０８７号公報
【発明の概要】
【発明が解決しようとする課題】
【０００５】
しかしながら、出荷後に、例えば外部から物理的な衝撃を受けた場合、長期間の使用による保持部材や接着剤の劣化が生じた場合、液晶パネルや光学補償素子の劣化が生じた場合などの影響により、液晶パネルに対する光学補償素子の配置が最適な配置からずれる可能性がある。液晶パネルに対する光学補償素子の配置が最適な配置からずれると、プロジェクターにより投射される画像の品質が低下してしまう。ここで、プロジェクターを構成する光学補償素子などの構成部品は全て筐体の内部に収容されている。このため、光学補償素子の配置が最適な配置からずれた場合、プロジェクターを分解して筐体内部の光学補償素子の配置を調整することは困難であり手間がかかる。
【０００６】
一方、特許文献１の技術にあっては、光学補償素子が光軸に対して傾斜調整自在、かつ、光軸に直交する面内にて回動調整自在に構成されることで、コントラストが鮮明で、かつ、均一な画像を写し出すことができる技術が開示されているが、筐体の外部から光学補償素子を調整する技術については全く記載されていない。
【０００７】
本発明はこのような事情に鑑みてなされたものであって、手間をかけずに容易に光学補償素子を調整することが可能なプロジェクターを提供することを目的とする。
【課題を解決するための手段】
【０００８】
上記の課題を解決するため、本発明のプロジェクターは、光源と、前記光源から射出された光を変調する液晶パネルと、前記光源から射出された光の光軸上に設けられた光学補償素子と、前記光学補償素子の前記光軸と直交する面内における回転角、又は、前記光学補償素子の法線と前記光軸との成す角である煽り角を調整する調整手段と、前記光源、前記液晶パネル、及び前記光学補償素子を内部に収容する筐体と、を有し、前記調整手段の一部が前記筐体の外部に配置され、該外部に配置された前記調整手段の一部を用いて前記光学補償素子の前記回転角又は前記煽り角を調整可能に構成されていることを特徴とする。
【０００９】
この構成によれば、調整手段の一部が筐体の外部に配置されているので、筐体の外部に配置された調整手段の一部を用いて光学補償素子の光軸と直交する面内における回転角、又は、光学補償素子の法線と光軸との成す角である煽り角の調整を行うことができる。このため、従来のように光学補償素子の配置が最適な配置からずれた場合でも、プロジェクターを分解することなく光学補償素子の配置を調整できる。したがって、手間をかけずに容易に光学補償素子を調整することが可能なプロジェクターが提供できる。
【００１０】
また、上記プロジェクターにおいては、前記光学補償素子は、前記光軸と直交する面内において回転調整自在に構成され又は前記光軸に対して傾斜調整自在に構成されたホルダーに保持されており、前記調整手段は、前記ホルダーを前記光軸と直交する面内において回転調整し又は前記光軸に対して傾斜調整することにより、前記光学補償素子の前記回転角又は前記煽り角を調整することが望ましい。
【００１１】
この構成によれば、光学補償素子がホルダーに保持されている場合、ホルダーの回転調整又は傾斜調整を行うことにより、光学補償素子の回転角又は煽り角の調整を行うことができる。したがって、手間をかけずに容易に光学補償素子を調整することが可能なプロジェクターが提供できる。
【００１２】
また、上記プロジェクターにおいては、前記ホルダーは、前記光学補償素子の外周を保持する第１枠体と、前記第１枠体の主面と平行な面内において前記第１枠体を回転可能に支持する支持部材と、を有し、前記調整手段は、前記第１枠体の前記支持部材上での回転角を調整することにより、前記光学補償素子の前記回転角を調整することが望ましい。
【００１３】
この構成によれば、ホルダーが第１枠体と支持部材とを有する場合、第１枠体の支持部材上での回転角を調整することにより、光学補償素子の回転角の調整を行うことができる。したがって、手間をかけずに容易に光学補償素子を調整することが可能なプロジェクターが提供できる。
【００１４】
また、上記プロジェクターにおいては、前記第１枠体と前記支持部材との間に、前記第１枠体の主面と平行な面内において弾性変形することにより前記第１枠体を前記支持部材上で回転させる弾性部材が設けられ、前記調整手段は、前記弾性部材の弾性変形量を調整することにより前記第１枠体の回転角を調整し、これにより、前記光学補償素子の前記回転角を調整することが望ましい。
【００１５】
この構成によれば、第１枠体と支持部材との間に弾性部材が設けられている場合、弾性部材の弾性変形量を調整して第１枠体の回転角を調整することにより、光学補償素子の回転角の調整を行うことができる。したがって、手間をかけずに容易に光学補償素子を調整することが可能なプロジェクターが提供できる。
【００１６】
また、上記プロジェクターにおいては、前記調整手段はネジ部材であり、前記ネジ部材の一方の端部は前記第１枠体に設けられた突起部に当接し、前記ネジ部材の他方の端部は前記筐体の外部に配置されており、前記ネジ部材の他方の端部を締め付けることにより前記弾性部材の弾性変形量が調整され、これにより、前記光学補償素子の前記回転角が調整されることが望ましい。
【００１７】
この構成によれば、調整手段がネジ部材であり、ネジ部材の他方の端部が筐体の外部に配置されている場合、筐体の外部からネジ部材の頭部（他方の端部）を締め付けることにより、光学補償素子の回転角の調整を行うことができる。したがって、手間をかけずに容易に光学補償素子を調整することが可能なプロジェクターが提供できる。
【００１８】
また、上記プロジェクターにおいては、前記調整手段は、駆動手段と、前記駆動手段と前記第１枠体との間に設けられ、前記第１枠体に対して前記第１枠体の主面と平行な面内における回転力を付与する歯車機構と、前記駆動手段を操作する操作装置と、を有し、前記操作装置が前記筐体の外部に設けられ、前記操作装置を用いて前記光学補償素子の前記回転角が調整されることが望ましい。
【００１９】
この構成によれば、調整手段が駆動手段と歯車機構と操作装置とを有し、操作装置が筐体の外部に設けられている場合、筐体の外部から操作装置を用いて駆動手段に駆動信号を伝達することにより、光学補償素子の回転角の調整を行うことができる。したがって、手間をかけずに容易に光学補償素子を調整することが可能なプロジェクターが提供できる。
【００２０】
また、上記プロジェクターにおいては、前記ホルダーは、前記光学補償素子の外周を保持し、前記光学補償素子の主面と平行な方向に延びる回転軸を中心として回転可能に構成された第２枠体を有し、前記調整手段は、前記第２枠体の前記回転軸を中心とした回転量を調整することにより、前記光学補償素子の前記煽り角を調整することが望ましい。
【００２１】
この構成によれば、ホルダーが回転軸を中心として回転可能に構成された第２枠体を有する場合、第２枠体の回転軸を中心とした回転量を調整することにより、光学補償素子の煽り角の調整を行うことができる。したがって、手間をかけずに容易に光学補償素子を調整することが可能なプロジェクターが提供できる。
【００２２】
また、上記プロジェクターにおいては、前記ホルダーは、前記第２枠体を前記回転軸を中心として回転可能に支持する軸部材を有し、前記調整手段はネジ部材であり、前記ネジ部材の一方の端部は前記軸部材に設けられた突起部と当接し、前記ネジ部材の他方の端部は前記筐体の外部に配置されており、前記ネジ部材の他方の端部を締め付けることにより前記軸部材の前記回転軸を中心とした回転量が調整され、これにより、前記光学補償素子の前記煽り角が調整されることが望ましい。
【００２３】
この構成によれば、調整手段がネジ部材であり、ネジ部材の他方の端部が筐体の外部に配置されている場合、筐体の外部からネジ部材の頭部（他方の端部）を締め付けることにより、光学補償素子の煽り角の調整を行うことができる。したがって、手間をかけずに容易に光学補償素子を調整することが可能なプロジェクターが提供できる。
【００２４】
また、上記プロジェクターにおいては、前記調整手段は、駆動手段と、前記駆動手段と前記第２枠体との間に設けられ前記第２枠体に前記回転軸を中心とした回転力を付与する歯車機構と、前記駆動手段を操作する操作装置と、を有し、前記操作装置が前記筐体の外部に設けられ、前記操作装置を用いて前記光学補償素子の前記煽り角が調整されることが望ましい。
【００２５】
この構成によれば、調整手段が駆動手段と歯車機構と操作装置とを有し、操作装置が筐体の外部に設けられている場合、筐体の外部から操作装置を用いて駆動手段に駆動信号を伝達することで、光学補償素子の煽り角の調整を行うことができる。したがって、手間をかけずに容易に光学補償素子を調整することが可能なプロジェクターが提供できる。
【図面の簡単な説明】
【００２６】
【図１】本発明のプロジェクターを示す模式図である。
【図２】液晶ライトバルブ周囲の拡大平面図である。
【図３】第１実施形態に係る調整手段における光学補償素子の回転機構を示す図である。
【図４】第１実施形態に係る第１枠体を示す斜視図である。
【図５】第２実施形態に係る調整手段における光学補償素子の回転機構を示す図である。
【図６】図５のＡ−Ａ線に沿った断面図である。
【図７】図５のＢ−Ｂ線に沿った断面図である。
【図８】第３実施形態に係る調整手段における光学補償素子の回転機構を示す図である。
【図９】第４実施形態に係る調整手段における光学補償素子の回転機構を示す図である。
【発明を実施するための形態】
【００２７】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００２８】
（第１実施形態）
図１は本発明の第１実施形態に係るプロジェクター１の概略構成を示す模式図である。図１に示すように、プロジェクター１は、光源装置２１と、色分離光学系２３と、光変調部２５と、調整手段３６ａ，３６ｂ，３６ｃと、クロスダイクロイックプリズム２７と、投射レンズ２９と、筐体３８（図３参照）と、を具備して構成されている。
【００２９】
光源装置２１は、光を射出する光源２１ａと、一対のフライアイ光学系２１ｂ，２１ｃと、偏光変換部材２１ｄと、重畳レンズ２１ｅと、を備えて構成されている。
【００３０】
光源２１ａは、例えば高圧水銀ランプと、高圧水銀ランプから射出された光を反射させるリフレクターと、を備えて構成されている。高圧水銀ランプは、種々の色の色光を含む白色光を射出するランプである。つまり、光源２１ａは、赤色光（以下「Ｒ光」と称す）と緑色光（以下「Ｇ光」と称す）と青色光（以下「Ｂ光」と称す）とを含む白色光を射出するものである。
【００３１】
一対のフライアイ光学系２１ｂ，２１ｃは、光源２１ａから光が射出される側から、第１フライアイ光学系２１ｂ、第２フライアイ光学系２１ｃの順に配置されている。第１フライアイ光学系２１ｂは、光源２１ａから光が射出される側から見て矩形状の輪郭を有する小レンズがマトリクス状に配列された構成を有する。第２フライアイ光学系２１ｃは、第１フライアイ光学系２１ｂと同様な構成を有する光学系であり、小レンズがマトリクス状に配列された構成を有する。これら第１フライアイ光学系２１ｂ、第２フライアイ光学系２１ｃは、光源２１ａから射出された光の輝度分布を均一化させる機能を有する。
【００３２】
偏光変換部材２１ｄは、第１フライアイ光学系２１ｂ、第２フライアイ光学系２１ｃにより均一化された不定偏光状態の光を特定の偏光方向の光に変換する機能を有する。偏光変換部材２１ｄは、例えばＰＢＳアレイ（偏光ビームスプリッタアレイ）と、１／２波長板とで構成され、ランダム偏光を特定の直線偏光に変換することができる。
【００３３】
重畳レンズ２１ｅは、偏光変換部材２１ｄを経た光を全体として適宜収束させて、各液晶ライトバルブ（液晶パネル）２５ａ，２５ｂ，２５ｃに対する重畳照明を可能にする。つまり、一対のフライアイ光学系２１ｂ，２１ｃと重畳レンズ２１ｅとを経た光は、色分離光学系２３を経て、各液晶ライトバルブ２５ａ，２５ｂ，２５ｃを均一に重畳照明する。
【００３４】
色分離光学系２３は、第１ダイクロイックミラー２３ａと、第２ダイクロイックミラー２３ｂと、３つのフィールドレンズ２３ｆ，２３ｇ，２３ｈと、反射ミラー２３ｉ，２３ｊ，２３ｋと、を備えている。第１ダイクロイックミラー２３ａは、光源２１ａから射出されたＲ光、Ｇ光及びＢ光の３色のうち、Ｒ光を反射させ、Ｇ光及びＢ光を透過させる。第２ダイクロイックミラー２３ｂは、Ｇ光及びＢ光の２色のうちＧ光を反射させ、Ｂ光を透過させる。
【００３５】
光源２１ａから射出された光のうちＲ光は、第１ダイクロイックミラー２３ａにおいて光路が９０度折り曲げられ、反射ミラー２３ｉに入射する。そして、Ｒ光は、反射ミラー２３ｉにより光路が９０度折り曲げられ、入射角度を調節するためのフィールドレンズ２３ｆに入射する。
【００３６】
また、光源２１ａから射出された光のうちＧ光は、第１ダイクロイックミラー２３ａを透過し、第２ダイクロイックミラー２３ｂにおいて光路が９０度折り曲げられる。そして、Ｇ光は入射角度を調節するためのフィールドレンズ２３ｇに入射する。
【００３７】
また、光源２１ａから射出された光のうちＢ光は、第１ダイクロイックミラー２３ａ及び第２ダイクロイックミラー２３ｂを透過し、光路差を補償するためのリレーレンズ２４ａを経由して反射ミラー２３ｊに入射する。反射ミラー２３ｊに入射したＢ光は、光路が９０度折り曲げられ、リレーレンズ２４ｂを経由して反射ミラー２３ｋに入射する。反射ミラー２３ｋに入射したＢ光は、光路が９０度折り曲げられ、入射角度を調節するためのフィールドレンズ２３ｈに入射する。
【００３８】
光変調部２５は、それぞれが光変調装置である３つの液晶ライトバルブ２５ａ，２５ｂ，２５ｃと、各液晶ライトバルブ２５ａ，２５ｂ，２５ｃの入射側にそれぞれ配置される３つの第１偏光板３１ａ，３１ｂ，３１ｃと、各液晶ライトバルブ２５ａ，２５ｂ，２５ｃの出射側にそれぞれ配置される３つの第２偏光板３２ａ，３２ｂ，３２ｃと、各液晶ライトバルブ２５ａ，２５ｂ，２５ｃと第２偏光板３２ａ，３２ｂ，３２ｃとの間にそれぞれ配置される３つの光学補償素子２６ａ，２６ｂ，２６ｃと、を備えている。
【００３９】
フィールドレンズ２３ｆを経由したＲ光は、液晶ライトバルブ２５ａに入射してこの液晶ライトバルブ２５ａを照明する。フィールドレンズ２３ｇを経由したＧ光は、液晶ライトバルブ２５ｂに入射してこの液晶ライトバルブ２５ｂを照明する。フィールドレンズ２３ｈを経由したＢ光は、液晶ライトバルブ２５ｃに入射してこの液晶ライトバルブ２５ｃを照明する。
【００４０】
各液晶ライトバルブ２５ａ，２５ｂ，２５ｃは、入射した光の空間的強度分布を変調する非発光型の光変調装置である。各液晶ライトバルブ２５ａ，２５ｂ，２５ｃにそれぞれ入射した３色の光は、各液晶ライトバルブ２５ａ，２５ｂ，２５ｃに電気信号として入力された駆動信号または画像信号に応じて変調される。
【００４１】
その際、第１偏光板３１ａ，３１ｂ，３１ｃによって、各液晶ライトバルブ２５ａ，２５ｂ，２５ｃに入射する光の偏光方向が調整される。また、第２偏光板３２ａ，３２ｂ，３２ｃによって、各液晶ライトバルブ２５ａ，２５ｂ，２５ｃから射出される変調光（表示画像光）から所定の偏光方向の表示画像光が取り出される。
【００４２】
光学補償素子２６ａ，２６ｂ，２６ｃは、例えば２軸位相差板であり、それぞれ各液晶ライトバルブ２５ａ，２５ｂ，２５ｃから表示画像光が射出される方向の屈折率をｎｚ、光学補償素子２６ａ，２６ｂ，２６ｃの平面内の方位角方向の屈折率をｎｘ、ｎｙとしたときのｎｘ、ｎｙ、ｎｚの関係がｎｘ＞ｎｙ＞ｎｚの関係となっている。黒表示状態における各液晶ライトバルブ２５ａ，２５ｂ，２５ｃの液晶層に残る位相差を、光学補償素子２６ａ，２６ｂ，２６ｃの有する位相差がちょうど打ち消しあうときに最も暗い状態となって高いコントラストが得られる。
【００４３】
調整手段３６ａ，３６ｂ，３６ｃは、それぞれ光学補償素子２６ａ，２６ｂ，２６ｃの近傍に配置されている。各調整手段３６ａ，３６ｂ，３６ｃは、それぞれ各光学補償素子２６ａ，２６ｂ，２６ｃの姿勢を調整する機能を有する。なお、調整手段３６ａ，３６ｂ，３６ｃの詳細については後述する（図２及び図３参照）。
【００４４】
クロスダイクロイックプリズム２７は、光合成部材であり、２つの誘電体多層膜２７ａ，２７ｂがＸ字型に直交して配置された構成となっている。誘電体多層膜２７ａは、Ｒ光を反射させ、Ｇ光、Ｂ光を透過させる。また、誘電体多層膜２７ｂは、Ｂ光を反射させ、Ｒ光、Ｇ光を透過させる。このように、クロスダイクロイックプリズム２７は、上記各液晶ライトバルブ２５ａ，２５ｂ，２５ｃのそれぞれにおいて変調されたＲ光、Ｇ光及びＢ光を合成する。
【００４５】
投射レンズ２９は、クロスダイクロイックプリズム２７により合成された合成光をスクリーン（図示略）に投射する機能を有する。クロスダイクロイックプリズム２７で合成された合成光は、投射レンズ２９を介してスクリーン上に拡大投射される。
【００４６】
これら光源装置２１、色分離光学系２３、光変調部２５、クロスダイクロイックプリズム２７、投射レンズ２９、は不図示の筐体３８（図３参照）の内部に収容されている。以下、筐体３８の内部に対して、光源装置２１、色分離光学系２３、光変調部２５、クロスダイクロイックプリズム２７、投射レンズ２９が設けられた側と反対側の部分を、筐体３８の外部という。
【００４７】
図２は、液晶ライトバルブ２５ａ周囲の拡大平面図である。なお、液晶ライトバルブ２５ｂ，２５ｃ周囲についても液晶ライトバルブ２５ａ周囲と同様の構成となっており、便宜上図示を省略する。
【００４８】
図２に示すように、液晶ライトバルブ２５ａの入射側には第１偏光板３１ａが配置され、液晶ライトバルブ２５ａの出射側には第２偏光板３２ａが配置されている。光学補償素子２６ａは、光源２１ａから射出された光の光軸Ｌ上に設けられ、液晶ライトバルブ２５ａと第２偏光板３２ａとの間に配置されている。調整手段３６ａは、光学補償素子２６ａの近傍に設けられている。この調整手段３６ａは、光学補償素子２６ａの光軸Ｌと直交する面内における回転角を調整する。
【００４９】
なお、調整手段３６ａの一部は筐体３８（図３参照）の外部に配置されている。そして、筐体３８の外部に配置された調整手段３６ａの一部を用いて光学補償素子２６ａの回転角または煽り角の調整を行うことが可能となっている。このため、従来のように光学補償素子の配置が最適な配置からずれた場合でも、プロジェクターを分解することなく光学補償素子の配置を調整できる。
【００５０】
図３は、本実施形態に係る調整手段３６ａの一部を用いて光学補償素子２６ａの回転角を調整する機構を示した図である。図３（ａ）は、調整手段３６ａにおける機構を示す図である。図３（ｂ）は、調整手段３６ａにおける機構を示す斜視図である。なお、図３（ｂ）においては、便宜上筐体３８の図示を省略する。また、調整手段３６ｂ，３６ｃの一部を用いて光学補償素子２６ｂ，２６ｃの回転角を調整する機構についても調整手段３６ａにおける機構と同様の構成となっており、便宜上図示を省略する。
【００５１】
図３（ａ）に示すように、本実施形態の調整手段３６ａはネジ部材からなっている。そして、このネジ部材３６ａの頭部（他方の端部）３６ａ１は、筐体３８の外部に配置されている。これにより、観察者は、例えば筐体３８の外部からドライバーを用いて、ネジ部材３６ａを締めたり緩めたりすることができる。
【００５２】
筐体３８のネジ部材３６ａの配置される部位は凹部３８ａをなしており、ネジ部材３６ａの頭部３６ａ１が凹部３８ａ内に確実に収まるようになっている。この凹部３８ａの凹形状は、ネジ部材３６ａの頭部３６ａ１の寸法とネジ部材３６ａの調整代とを考慮して設定されている。これにより、ネジ部材３６ａの頭部３６ａ１が筐体３８の外面３８ｂよりも外側にはみ出さないようになっている。なお、ネジ部材３６ａの頭部３６ａ１は、ネジ部材３６ａを締めたり緩めたりすることができるように、凹部３８ａの所定の位置に配置されている。また、凹部３８ａには必要に応じて見栄え上の観点から取り外し可能な保護部材（図示略）が嵌め込まれてもよい。
【００５３】
光学補償素子２６ａは、光軸Ｌと直交する面内において回転調整自在に構成された第１ホルダー４０に保持されている。ネジ部材３６ａは、第１ホルダー４０を光軸Ｌと直交する面内において回転調整することにより、光学補償素子２６ａの回転角を調整するようになっている。
【００５４】
第１ホルダー４０は、光学補償素子２６ａの外周を保持する第１枠体４１と、第１枠体４１の主面と平行な面内において第１枠体を回転可能に支持する支持部材４２と、を有している。第１枠体４１は、光学補償素子２６ａを固定するとともに、光学補償素子２６ａと同時に回動するものである。支持部材４２は、筐体３８に固定されている。ネジ部材３６ａは、第１枠体４１の支持部材４２上での回転角を調整することにより、光学補償素子２６ａの回転角を調整するようになっている。
【００５５】
第１枠体４１と支持部材４２との間には、第１枠体の主面と平行な面内において弾性変形することにより第１枠体４１を支持部材４２上で回転させる第１弾性部材４３が設けられている。ネジ部材３６ａは、第１弾性部材４３の弾性変形量を調整することにより第１枠体４１の回転角を調整し、これにより、光学補償素子２６ａの回転角を調整するようになっている。
【００５６】
第１枠体４１には、ネジ部材３６ａの先端部（一方の端部）３６ａ２が当接されるとともに、第１弾性部材４３の一端４３ａが接続される突起部４１ａが設けられている。支持部材４２には、突起部４１ａと対向する位置に支持部４２ｃが突出して設けられている。この支持部４２ｃには、第１弾性部材の他端４３ｂが接続されている。第１弾性部材４３は、例えばスプリングからなっている。ネジ部材３６ａを締めたり緩めたりすることにより、第１弾性部材４３の弾性変形量が調整され、これにより、光学補償素子２６ａの回転角を調整するようになっている。
【００５７】
図３（ｂ）に示すように、支持部材４２は、第１枠体４１を嵌め込む第１部材４２ａと、第１枠体４１を第１部材４２ａとの間に挟み込んで固定する第２部材４２ｂと、第２部材４２ｂから突出して設けられた支持部４２ｃと、を具備して構成されている。第１部材４２ａは、上側部材４２ａ１と、下側部材４２ａ２と、により構成されている。上側部材４２ａ１は光学補償素子２６ａの位置よりも上側に設けられ、下側部材４２ａ２は光学補償素子２６ａの位置よりも下側に設けられている。このような構成により、光学補償素子２６ａの表面が外部に露出するようになっている。また、上側部材４２ａ１と第２部材４２ｂとの間には、光軸Ｌに対して直交する方向に延在する開口部４４が形成されている。この開口部４４の延在する方向に沿って、第１弾性部材４３が伸縮され、突起部４１ａが回動するようになっている。
【００５８】
図４は、本実施形態の第１枠体４１と第２部材４２ｂとを示す斜視図である。第１枠体４１には、突起部４１ａと、光学補償素子２６ａが嵌め込まれる嵌合部４１ｂが形成されている。嵌合部４１ｂには、光学補償素子２６ａの厚さ（光軸Ｌ方向の長さ）に対応して段差が形成されている。これにより、光学補償素子２６ａが第１枠体４１に確実に固定されるようになっている。
【００５９】
第２部材４２ｂには、第１枠体４１が収容される収容部４２ｂ４が形成されている。収容部４２ｂ４には段差が形成され、収容部４２ｂ４の段差の深さ（光軸Ｌ方向の長さ）Ｄは第１枠体４１の厚さ（光軸Ｌ方向の長さ）Ｔ以上になっている（Ｄ≧Ｔ）。これにより、第１枠体４１は、収容部４２ｂ４内に確実に収容されるとともに確実に回動される。また、収容部４２ｂ４の幅Ｗ１は突起部４１ａの幅Ｗ２よりも大きくなっている（Ｗ１＞Ｗ２）。収容部４２ｂ４の幅Ｗ１の寸法は、第１枠体４１の回動範囲、つまり光学補償素子２６ａの調整範囲を考慮して所定の値に設定される。
【００６０】
また、第２部材４２ｂは、上側部材４２ａ１が固定される面４２ｂ１、下側部材４２ａ２が固定される面４２ｂ２、支持部４２ｃが固定される面４２ｂ３を有している。なお、第２部材４２ｂの各面４２ｂ１、４２ｂ２、４２ｂ３には、必要に応じて上側部材４２ａ１、下側部材４２ａ２、支持部４２ｃを固定するための止め孔（図示略）が形成されていてもよい。
【００６１】
このような構成により、光学補償素子２６ａは、ネジ部材３６ａを締めて突起部４１ａが回動するよう第１弾性部材４３の弾性力よりも大きい力で筐体３８の内部に向かって移動させることで光軸Ｌと直交する面内において光軸Ｌの回りの一方の方向（図３（ｂ）の左回り）に回転される。また、光学補償素子２６ａは、ネジ部材３６ａを緩めて筐体３８の外部に向かって移動させることで第１弾性部材４３の復元力により光軸Ｌと直交する面内において光軸Ｌの回りの他方の方向（図３（ｂ）の右回り）に回転される。これにより、観察者は、例えば筐体３８の外部からドライバーを用いて、ネジ部材３６ａを締めたり緩めたりすることで、光学補償素子２６ａの光軸Ｌと直交する面内における回転角が所望の角度となるように適宜調整することができる。
【００６２】
具体的には、例えば観察者がドライバーを用いてネジ部材３６ａを締めると、ネジ部材３６ａはその軸に沿って筐体３８の内部に向かって移動する。ネジ部材３６ａが筐体３８の内部に向かって移動すると、ネジ部材３６ａの先端３６ａ２が当接される突起部４１ａが、光軸Ｌを中心として支持部４２ｃから離れる方向（図３（ｂ）の左回り）に回転する。突起部４１ａが左回りに回転すると、つまり、第１枠体４１が左回りに回転すると、第１枠体４１に固定された光学補償素子２６ａが光軸Ｌと直交する面内において第１枠体４１と同時に左回りに回転する。
【００６３】
また、例えば観察者がドライバーを用いてネジ部材３６ａを緩めると、ネジ部材３６ａはその軸に沿って筐体３８の外部に向かって移動する。ネジ部材３６ａが筐体３８の外部に向かって移動すると、ネジ部材３６ａの先端３６ａ２が当接される突起部４１ａが、第１弾性部材４３の復元力により、光軸Ｌを中心として支持部４２ｃに近づく方向（図３（ｂ）の右回り）に回転する。突起部４１ａが右回りに回転すると、つまり、第１枠体４１が右回りに回転すると、第１枠体４１に固定された光学補償素子２６ａが光軸Ｌと直交する面内において第１枠体４１と同時に右回りに回転する。
【００６４】
本実施形態のプロジェクター１によれば、調整手段３６ａ，３６ｂ，３６ｃの一部が筐体３８の外部に配置されているので、筐体３８の外部に配置された調整手段３６ａ，３６ｂ，３６ｃの一部を用いて光学補償素子２６ａ，２６ｂ，２６ｃの光軸Ｌと直交する面内における回転角の調整を行うことができる。このため、従来のように光学補償素子の配置が最適な配置からずれた場合でも、プロジェクターを分解することなく光学補償素子の配置を調整できる。したがって、手間をかけずに容易に光学補償素子２６ａ，２６ｂ，２６ｃを調整することが可能なプロジェクター１が提供できる。
【００６５】
また、この構成によれば、光学補償素子２６ａ，２６ｂ，２６ｃが第１ホルダー４０に保持されている。この場合、第１ホルダー４０の回転調整を行うことにより、光学補償素子２６ａ，２６ｂ，２６ｃの回転角の調整を行うことができる。
【００６６】
また、この構成によれば、第１ホルダー４０が第１枠体４１と支持部材４２とを有する。この場合、第１枠体４１の支持部材４２上での回転角を調整することにより、光学補償素子２６ａ，２６ｂ，２６ｃの回転角の調整を行うことができる。
【００６７】
また、この構成によれば、第１枠体４１と支持部材４２との間に第１弾性部材４３が設けられている。この場合、第１弾性部材４３の弾性変形量を調整して第１枠体４１の回転角を調整することにより、光学補償素子２６ａ，２６ｂ，２６ｃの回転角の調整を行うことができる。
【００６８】
また、この構成によれば、調整手段３６ａ，３６ｂ，３６ｃがネジ部材であり、ネジ部材３６ａ，３６ｂ，３６ｃの頭部（他方の端部）３６ａ１，３６ｂ１，３６ｃ１が筐体３８の外部に配置されている。この場合、筐体３８の外部からネジ部材の頭部３６ａ１，３６ｂ１，３６ｃ１を締め付けることにより、光学補償素子２６ａ，２６ｂ，２６ｃの回転角の調整を行うことができる。このような構成により、手間をかけずに容易に光学補償素子２６ａ，２６ｂ，２６ｃを調整することが可能なプロジェクター１が提供できる。
【００６９】
なお、本実施形態のプロジェクター１では、各光学補償素子２６ａ，２６ｂ，２６ｃは、それぞれ各液晶ライトバルブ２５ａ，２５ｂ，２５ｃと各第２偏光板３２ａ，３２ｂ，３２ｃとの間に配置されているが、これに限らない。例えば、光学補償素子は、液晶ライトバルブと第１偏光板との間に配置されていてもよい。
【００７０】
（第２実施形態）
図５は、本発明の第２実施形態に係るプロジェクター２の調整手段３７ａの一部を用いて光学補償素子２６ａの煽り角を調整する機構を示した図である。図６は、図５のＡ−Ａ線に沿った断面図である。図７は、図５のＢ−Ｂ線に沿った断面図である。
【００７１】
図５は図３（ａ）に対応した、光学補償素子２６ａの煽り角を調整する機構を示した図である。図５に示すように、本実施形態に係るプロジェクター２の光学補償素子２６ａの煽り角を調整する調整機構は、上述の第１枠体４１に替えて、第２枠体５１が用いられている点、第２枠体５１を支持する支持部材５２が設けられている点、で上述の第１実施形態に係るプロジェクター１の光学補償素子２６ａの回転角を調整する調整機構と異なっている。その他の点は上述の構成と同様であるので、図３（ａ）と同様の要素には同一の符号を付し、詳細な説明は省略する。
【００７２】
なお、光学補償素子２６ｂに対応する調整手段３７ｂ、光学補償素子２６ｃに対応する調整手段３７ｃ、の一部を用いて光学補償素子２６ｂ，２６ｃの煽り角を調整する機構についても、図５に示す光学補償素子２６ａに対応する調整手段３７ａにおける機構と同様の構成となっており、便宜上図示を省略する。
【００７３】
図５に示すように、本実施形態の調整手段３７ａは上述の調整手段３６ａと同様にネジ部材からなっている。そして、このネジ部材３７ａの頭部（一端）３７ａ１は、筐体３８の外部に配置されている。これにより、観察者は、例えば筐体３８の外部からドライバーを用いて、ネジ部材３７ａを締めたり緩めたりすることができる。
【００７４】
筐体３８のネジ部材３７ａの配置される部位は凹部３８ｃをなしており、ネジ部材３７ａの頭部３７ａ１が凹部３８ｃ内に確実に収まるようになっている。この凹部３８ｃの凹形状は、ネジ部材３７ａの頭部３７ａ１の寸法とネジ部材３７ａの調整代とを考慮して設定されている。これにより、ネジ部材３７ａの頭部３７ａ１が筐体３８の外面３８ｄよりも外側にはみ出さないようになっている。なお、ネジ部材３７ａの頭部３７ａ１は、ネジ部材３７ａを締めたり緩めたりすることができるように、凹部３８ｃの所定の位置に配置されている。また、凹部３８ｃには必要に応じて見栄え上の観点から取り外し可能な保護部材（図示略）が嵌め込まれてもよい。
【００７５】
光学補償素子２６ａは、光軸Ｌに対して傾斜調整自在に構成された第２ホルダー５０に保持されている。ネジ部材３７ａは、第２ホルダー５０を光軸Ｌに対して傾斜調整することにより、光学補償素子２６ａの煽り角を調整するようになっている。
【００７６】
第２ホルダー５０は、光学補償素子２６ａの外周を保持し、光学補償素子２６ａの主面と平行な方向に延びる回転軸５１ａ２を中心として回転可能に構成された第２枠体５１を有している。第２枠体５１は、光学補償素子２６ａを固定するとともに、光学補償素子２６ａと同時に回動するものである。第２枠体５１は、支持部材５２に支持されている。支持部材５２は、筐体３８に固定されている。支持部材５２の内部には、回転軸５１ａ２が回動可能なように収容されている。ネジ部材３７ａは、第２枠体５１の回転軸５１ａ２を中心とした回転量を調整することにより、光学補償素子２６ａの煽り角を調整するようになっている。
【００７７】
また、第２ホルダー５０は、第２枠体５１を光学補償素子２６ａの主面と平行な方向に延びる回転軸５１ａ２を中心として回転可能に支持する軸部材５１ａを有している。軸部材５１ａと支持部材５２との間には、第２枠体５１の主面と直交する面内において弾性変形することにより、第２枠体５１を回転軸５１ａ２を中心として回転させる第２弾性部材５３が設けられている。第２弾性部材５３は、上述の第１弾性部材４３と同様に例えばスプリングからなっている。ネジ部材３７ａを締めたり緩めたりすることにより、第２弾性部材４３の弾性変形量が調整され、これにより、光学補償素子２６ａの煽り角を調整するようになっている。
【００７８】
軸部材５１ａには、ネジ部材３７ａの先端部（一方の端部）３７ａ２が当接されるとともに、第２弾性部材５３（図６参照）の一端５３ａが接続される突起部５１ａ１が設けられている。軸部材５１ａは、突起部５１ａ１と回転軸５１ａ２とにより構成されている。支持部材５２には、突起部５１ａ１が回転軸５１ａ２を中心として回動可能なように、回転軸５１ａ２に直交する長孔５２ａが設けられている。ネジ部材３７ａを締めたり緩めたりすることにより、軸部材５１ａの回転軸５１ａ２を中心とした回転量が調整され、これにより、光学補償素子２６ａの煽り角を調整するようになっている。
【００７９】
図６に示すように、支持部材５２には、突起部５１ａ１と対向する位置に支持部５２ｃが突出して設けられている。この支持部５２ｃには、第２弾性部材５３の他端５３ｂが接続されている。支持部材５２に設けられた長孔５２ａの延在方向の長さＨは、突起部５１ａ１の直径Ｋよりも大きくなっている（Ｈ＞Ｋ）。長孔５２ａの延在方向の長さＨの寸法は、突起部５１ａ１の回動範囲、つまり光学補償素子２６ａの調整範囲を考慮して所定の値に設定される。
【００８０】
図７に示すように、第２枠体５１には、光学補償素子２６ａが嵌め込まれる嵌合部５１ｂが形成されている。嵌合部５１ｂには、光学補償素子２６ａの厚さ（光軸Ｌ方向の長さ）に対応して段差が形成されている。これにより、光学補償素子２６ａが第２枠体５１に確実に固定されるようになっている。
【００８１】
また、第２枠体５１には、回転軸５１ａ２が嵌め込まれる嵌合部５１ｃが形成されている。第２枠体５１の嵌合部５１ｃで回転軸５１ａ２の一方の端部が固定され、回転軸５１ａ２の回転、つまり軸部材５１ａの回転と同時に第２枠体５１が回転するようになっている。
【００８２】
支持部材５２には、内部に回転軸５１ａ２が回動可能なように収容される収容孔５２ｂが設けられている。収容孔５２ｂの直径は、回転軸５１ａ２の直径を考慮して設定され、回転軸５１ａ２が支持部材５２内で確実に回動されるようになっている。なお、支持部材５２の内部には、回転軸５１ａ２がその中心軸に沿って移動しないように支持部材５２と回転軸５１ａ２とを連結する止め具（図示略）を設けるのがよい。これにより、回転軸５１ａ２を中心として回動する突起部５１ａ１の回動範囲が、回転軸５１ａ２の回りの回動のみに固定される。
【００８３】
このような構成により、光学補償素子２６ａは、ネジ部材３７ａを締めて軸部材５１ａが回動するよう第２弾性部材５３の弾性力よりも大きい力で筐体３８の内部に向かって移動させることで回転軸５１ａ２の回りの一方の方向に回転される。また、光学補償素子２６ａは、ネジ部材３７ａを緩めて筐体３８の外部に向かって移動させることで第２弾性部材５３の復元力により回転軸５１ａ２の回りの他方の方向に回転される。これにより、観察者は、例えば筐体３８の外部からドライバーを用いて、ネジ部材３７ａを締めたり緩めたりすることで、光学補償素子２６ａの法線と光軸Ｌとの成す角である煽り角が所望の角度となるように適宜調整することができる。
【００８４】
具体的には、例えば観察者がドライバーを用いてネジ部材３７ａを締めると、ネジ部材３７ａはその軸に沿って筐体３８の内部に向かって移動する。ネジ部材３７ａが筐体３８の内部に向かって移動すると、ネジ部材３７ａの先端３７ａ２が当接される突起部５１ａ１が、回転軸５１ａ２を中心として支持部５２ｃから離れる方向（図６の左回り）に回転する。突起部５１ａ１が左回りに回転すると、つまり、第２枠体５１が左回りに回転すると、第２枠体５１に固定された光学補償素子２６ａが第２枠体５１と同時に回転軸５１ａ２を中心として左回りに回転する。
【００８５】
また、例えば観察者がドライバーを用いてネジ部材３７ａを緩めると、ネジ部材３７ａはその軸に沿って筐体３８の外部に向かって移動する。ネジ部材３７ａが筐体３８の外部に向かって移動すると、ネジ部材３７ａの先端３７ａ２が当接される突起部５１ａ１が、第２弾性部材５３の復元力により、回転軸５１ａ２を中心として支持部５２ｃに近づく方向（図６の右回り）に回転する。突起部５１ａ１が右回りに回転すると、つまり、第２枠体５１が右回りに回転すると、第２枠体５１に固定された光学補償素子２６ａが第１枠体４１と同時に回転軸５１ａ２を中心として右回りに回転する。
【００８６】
本実施形態のプロジェクター２によれば、光学補償素子２６ａ，２６ｂ，２６ｃが第２ホルダー５０に保持されている場合、第２ホルダー５０の傾斜調整を行うことにより、光学補償素子２６ａ，２６ｂ，２６ｃの煽り角の調整を行うことができる。したがって、手間をかけずに容易に光学補償素子２６ａ，２６ｂ，２６ｃを調整することが可能なプロジェクター２が提供できる。
【００８７】
また、この構成によれば、第２ホルダー５０が回転軸５１ａ２を中心として回転可能に構成された第２枠体５１を有する場合、第２枠体５１の回転軸５１ａ２を中心とした回転量を調整することにより、光学補償素子２６ａ，２６ｂ，２６ｃの煽り角の調整を行うことができる。したがって、手間をかけずに容易に光学補償素子２６ａ，２６ｂ，２６ｃを調整することが可能なプロジェクター２が提供できる。
【００８８】
また、この構成によれば、調整手段３７ａ，３７ｂ，３７ｃがネジ部材であり、ネジ部材３７ａ，３７ｂ，３７ｃの頭部（他方の端部）３７ａ１，３７ｂ１，３７ｃ１が筐体３８の外部に配置されている場合、筐体３８の外部からドライバーを用いてネジ部材３７ａ，３７ｂ，３７ｃの頭部（他方の端部）３７ａ１，３７ｂ１，３７ｃ１を締め付けることにより、光学補償素子２６ａ，２６ｂ，２６ｃの煽り角の調整を行うことができる。したがって、手間をかけずに容易に光学補償素子２６ａ，２６ｂ，２６ｃを調整することが可能なプロジェクター２が提供できる。
【００８９】
なお、本実施形態ではネジ部材３７ａの一部を用いて、光学補償素子２６ａの煽り角を調整する構造となっているが、これに限らない。例えば、図５に示すように、第２枠体５１に上述の突起部４１ａに相当する突起部５１ｄを設けることにより、光学補償素子２６ａの回転角を調整する構造となっていてもよい。
【００９０】
（第３実施形態）
図８は、本発明の第３実施形態に係るプロジェクター３の調整手段６３ａの一部を用いて光学補償素子２６ａの回転角を調整する機構を示した図である。
【００９１】
図８は図３（ａ）に対応した、光学補償素子２６ａの回転角を調整する機構を示した図である。図８に示すように、本実施形態に係るプロジェクター３の光学補償素子２６ａの回転角を調整する調整機構は、上述のネジ部材３６ａに替えて、調整手段６３ａが電動モーター（駆動手段）６３ａ３と電動モーター６３ａ３を操作する操作装置６３ａ１，６３ａ２とからなる点、上述の第１枠体４１に替えて、第３枠体６１が用いられている点、第３枠体６１に動力を伝達する第１歯車機構６２が設けられている点、で上述の第１実施形態に係るプロジェクター１の光学補償素子２６ａの回転角を調整する調整機構と異なっている。その他の点は上述の構成と同様であるので、図３（ａ）と同様の要素には同一の符号を付し、詳細な説明は省略する。
【００９２】
なお、光学補償素子２６ｂに対応する調整手段６３ｂ、光学補償素子２６ｃに対応する調整手段６３ｃ、の一部を用いて光軸Ｌの回りの光学補償素子２６ｂ，２６ｃの角度を調整する機構についても、図８に示す光学補償素子２６ａに対応する調整手段６３ａにおける機構と同様の構成となっており、便宜上図示を省略する。
【００９３】
図８に示すように、本実施形態の調整手段６３ａは、電動モーター６３ａ３と電動モーター６３ａ３を操作する操作装置６３ａ１，６３ａ２とからなっている。そして、電動モーター６３ａ３は筐体３９の内部に配置され、操作装置６３ａ１，６３ａ２は筐体３９の外部に配置されている。操作装置６３ａ１，６３ａ２は、例えばボタン式のものであり、光学補償素子２６ａを光軸Ｌの回りの一方の方向（Ｒ５方向）に回転させる駆動信号を伝達する第１操作ボタン６３ａ１と、光学補償素子２６ａを光軸Ｌの回りの他方の方向（Ｒ６方向）に回転させる駆動信号を伝達する第２操作ボタン６３ａ２と、からなっている。これにより、観察者は、例えば筐体３９の外部に配置された第１操作ボタン６３ａ１，第２操作ボタン６３ａ２を用いて、電動モーター６３ａ３に駆動信号を伝達することができる。
【００９４】
本実施形態に係る筐体３９の第１操作ボタン６３ａ１，第２操作ボタン６３ａ２の配置される部位は上述のように凹部となっておらず、平らになっている。なお、筐体３９の第１操作ボタン６３ａ１，第２操作ボタン６３ａ２の配置される部位には必要に応じて誤作動防止、見栄え上の観点から取り外し可能な保護部材（図示略）が設けられていてもよい。
【００９５】
光学補償素子２６ａは、第３枠体６１に固定されている。第３枠体６１は、光学補償素子２６ａを固定するとともに、光学補償素子２６ａと同時に回動するものである。なお、本実施形態の第３枠体６１は、歯車形状となっている。
【００９６】
第１歯車機構６２は、第３枠体６１と電動モーター６３ａ３との間に設けられている。この第１歯車機構６２は、第３枠体６１に対して第３枠体６１の主面と平行な面内における回転力を付与する機能を有する。第１歯車機構６２は、例えば複数の歯車を組み合わせてなるものであり、第１歯車６２ａ、第２歯車６２ｂからなっている。第１歯車６２ａは、電動モーター６３ａ３の回転軸の一端に接続されている。第２歯車６２ｂは、第１歯車６２ａと第３枠体６１との間に配置されている。
【００９７】
このような構成により、光学補償素子２６ａは、筐体３９の外部に配置された第１操作ボタン６３ａ１，第２操作ボタン６３ａ２からの駆動信号によって電動モーター６３ａ３を駆動させることにより、第１歯車機構６２を介して、光軸Ｌと直交する面内において、光軸Ｌの回りの一方の方向と、光軸Ｌの回りの他方の方向と、のいずれか一方の方向に回転される。これにより、観察者は、例えば筐体３９の外部に配置された第１操作ボタン６３ａ１，第２操作ボタン６３ａ２を用いて、電動モーター６３ａ３に駆動信号を伝達することで、光学補償素子２６ａの光軸Ｌと直交する面内における回転角が所望の角度となるように適宜調整することができる。
【００９８】
具体的には、例えば観察者が第１操作ボタン６３ａ１を押すと、第１操作ボタン６３ａ１からの駆動信号により電動モーター６３ａ３が作動し、電動モーター６３ａ３の回転軸の一端に接続された第１歯車６２ａがその中心軸に対してＲ１方向に回転する。第１歯車６２ａがＲ１方向に回転すると、第２歯車６２ｂがその中心軸に対してＲ４方向に回転する。第２歯車６２ｂがＲ４方向に回転すると、第３枠体６１が光軸Ｌに対してＲ５方向に回転する。すると、第３枠体６１に固定された光学補償素子２６ａが第３枠体６１と同時に光軸Ｌと直交する面内において光軸Ｌに対してＲ５方向に回転する。
【００９９】
また、例えば観察者が第２操作ボタン６３ａ２を押すと、第２操作ボタン６３ａ２からの駆動信号により電動モーター６３ａ３が作動し、電動モーター６３ａ３の回転軸の一端に接続された第１歯車６２ａがその中心軸に対してＲ２方向に回転する。第１歯車６２ａがＲ２方向に回転すると、第２歯車６２ｂがその中心軸に対してＲ３方向に回転する。第２歯車６２ｂがＲ３方向に回転すると、第３枠体６１が光軸Ｌに対してＲ６方向に回転する。すると、第３枠体６１に固定された光学補償素子２６ａが第３枠体６１と同時に光軸Ｌと直交する面内において光軸Ｌに対してＲ６方向に回転する。
【０１００】
本実施形態のプロジェクター３によれば、調整手段６３ａ，６３ｂ，６３ｃが電動モーター６３ａ３と第１歯車機構６２と操作ボタン６３ａ１，６３ａ２とを有し、操作ボタン６３ａ１，６３ａ２が筐体３９の外部に設けられている場合、筐体３９の外部から操作ボタン６３ａ１，６３ａ２を用いて電動モーター６３ａ３に駆動信号を伝達することにより、光学補償素子２６ａ，２６ｂ，２６ｃの回転角の調整を行うことができる。したがって、手間をかけずに容易に光学補償素子２６ａ，２６ｂ，２６ｃを調整することが可能なプロジェクター３が提供できる。
【０１０１】
なお、本実施形態では、電動モーター６３ａ３を操作する操作装置として筐体３９の外部に配置された操作ボタンを用いているがこれに限らない。例えば、電動モーター６３ａ３を操作する操作装置として筐体３９の外部に配置された遠隔操作が可能なリモコンを用いてもよい。これにより、観察者は、筐体３９の外部に配置されたリモコンを用いて、電動モーター６３ａ３に駆動信号を伝達することにより、光学補償素子２６ａ，２６ｂ，２６ｃの光軸Ｌと直交する面内における回転角が所望の角度となるように適宜調整することができる。
【０１０２】
（第４実施形態）
図９は、本発明の第４実施形態に係るプロジェクター４の調整手段７３ａの一部を用いて光学補償素子２６ａの煽り角を調整する機構を示した図である。
【０１０３】
図９は図８に対応した、光学補償素子２６ａの煽り角を調整する機構を示した図である。図９に示すように、本実施形態に係るプロジェクター４の光学補償素子２６ａの煽り角を調整する調整機構は、上述の第３枠体６１に替えて、第４枠体７１が用いられている点、第４枠体７１に動力を伝達する第２歯車機構７２が設けられている点、で上述の第３実施形態に係るプロジェクター３の光学補償素子２６ａの回転角を調整する調整機構と異なっている。その他の点は上述の構成と同様であるので、図８と同様の要素には同一の符号を付し、詳細な説明は省略する。
【０１０４】
なお、光学補償素子２６ｂに対応する調整手段７３ｂ、光学補償素子２６ｃに対応する調整手段７３ｃ、の一部を用いて光学補償素子２６ｂ，２６ｃの煽り角を調整する機構についても、図９に示す光学補償素子２６ａに対応する調整手段７３ａにおける機構と同様の構成となっており、便宜上図示を省略する。
【０１０５】
図９に示すように、本実施形態の調整手段７３ａは、電動モーター７３ａ３と電動モーター７３ａ３を操作する操作装置７３ａ１，７３ａ２とからなっている。そして、電動モーター７３ａ３は筐体３９の内部に配置され、操作装置７３ａ１，７３ａ２は筐体３９の外部に配置されている。操作装置７３ａ１，７３ａ２は、例えばボタン式のものであり、光学補償素子２６ａを光学補償素子２６ａの主面と平行な方向に延びる回転軸７１ｂの回りの一方の方向（Ｓ５方向）に回転させる駆動信号を伝達する第１操作ボタン７３ａ１と、光学補償素子２６ａを回転軸７１ｂの回りの他方の方向（Ｓ６方向）に回転させる駆動信号を伝達する第２操作ボタン７３ａ２と、からなっている。これにより、観察者は、例えば筐体３９の外部に配置された第１操作ボタン７３ａ１，第２操作ボタン７３ａ２を用いて、電動モーター７３ａ３に駆動信号を伝達することができる。
【０１０６】
光学補償素子２６ａは、第４枠体７１に固定されている。第４枠体７１は、光学補償素子２６ａを固定するとともに、光学補償素子２６ａと同時に回動するものである。なお、本実施形態の第４枠体７１には、第４枠体７１と同時に回動する歯車部材７１ａ、歯車部材７１ａの中心軸となる回転軸７１ｂが設けられている。
【０１０７】
第２歯車機構７２は、第４枠体７１に回転軸７１ｂを中心とした回転力を付与する機能を有する。第２歯車機構７２は、例えば複数の歯車を組み合わせてなるものであり、第１歯車７２ａ、第２歯車７２ｂからなっている。第１歯車７２ａは、電動モーター７３ａ３の回転軸の一端に接続されている。第２歯車７２ｂは、第１歯車７２ａと歯車部材７１ａとの間に配置されている。
【０１０８】
このような構成により、光学補償素子２６ａは、筐体３９の外部に配置された第１操作ボタン７３ａ１，第２操作ボタン７３ａ２からの駆動信号によって電動モーター７３ａ３を駆動させることにより、第２歯車機構７２を介して、回転軸７１ｂの回りの一方の方向と、回転軸７１ｂの回りの他方の方向と、のいずれか一方の方向に回転される。これにより、観察者は、例えば筐体３９の外部に配置された第１操作ボタン７３ａ１，第２操作ボタン７３ａ２を用いて、電動モーター７３ａ３に駆動信号を伝達することで、光学補償素子２６ａの法線と光軸Ｌとの成す角である煽り角が所望の角度となるように適宜調整することができる。
【０１０９】
具体的には、例えば観察者が第１操作ボタン７３ａ１を押すと、第１操作ボタン７３ａ１からの駆動信号により電動モーター７３ａ３が作動し、電動モーター７３ａ３の回転軸の一端に接続された第１歯車７２ａがその中心軸を中心としてＳ１方向に回転する。第１歯車７２ａがＳ１方向に回転すると、第２歯車７２ｂがその中心軸を中心としてＳ４方向に回転する。第２歯車７２ｂがＳ４方向に回転すると、歯車部材７１ａが回転軸７１ｂを中心としてＳ５方向に回転する。つまり、第４枠体７１が回転軸７１ｂを中心としてＳ５方向に回転する。すると、第４枠体７１に固定された光学補償素子２６ａが第４枠体７１と同時に回転軸７１ｂを中心としてＳ５方向に回転する。
【０１１０】
また、例えば観察者が第２操作ボタン７３ａ２を押すと、第２操作ボタン７３ａ２からの駆動信号により電動モーター７３ａ３が作動し、電動モーター７３ａ３の回転軸の一端に接続された第１歯車７２ａがその中心軸を中心としてＳ２方向に回転する。第１歯車７２ａがＳ２方向に回転すると、第２歯車７２ｂがその中心軸を中心としてＳ３方向に回転する。第２歯車７２ｂがＳ３方向に回転すると、歯車部材７１ａが回転軸７１ｂを中心としてＳ６方向に回転する。つまり、第４枠体７１が回転軸７１ｂを中心としてＳ６方向に回転する。すると、第４枠体７１に固定された光学補償素子２６ａが第４枠体７１と同時に回転軸７１ｂを中心としてＳ６方向に回転する。
【０１１１】
本実施形態のプロジェクター４によれば、調整手段７３ａ，７３ｂ，７３ｃが電動モーター７３ａ３と第２歯車機構７２と操作ボタン７３ａ１，７３ａ２とを有し、操作ボタン７３ａ１，７３ａ２が筐体３９の外部に設けられている場合、筐体３９の外部から操作ボタン７３ａ１，７３ａ２を用いて電動モーター７３ａ３に駆動信号を伝達することにより、光学補償素子２６ａ，２６ｂ，２６ｃの煽り角の調整を行うことができる。したがって、手間をかけずに容易に光学補償素子２６ａ，２６ｂ，２６ｃを調整することが可能なプロジェクター４が提供できる。
【符号の説明】
【０１１２】
１，２，３，４…プロジェクター、２１ａ…光源、２５ａ，２５ｂ，２５ｃ…液晶ライトバルブ（液晶パネル）、２６ａ，２６ｂ，２６ｃ…光学補償素子、３１ａ，３１ｂ，３１ｃ…第１偏光板、３２ａ，３２ｂ，３２ｃ…第２偏光板、３６ａ，３６ｂ，３６ｃ，３７ａ，３７ｂ，３７ｃ…ネジ部材（調整手段）、３６ａ１，３７ａ１…ネジ部材の頭部（他方の端部）、３６ａ２，３７ａ２…ネジ部材の先端（一方の端部）、３８，３９…筐体、４０…第１ホルダー、４１…第１枠体、４１ａ…突起部、４２…支持部材、４３…第１弾性部材、５０…第２ホルダー、５１…第２枠体、５１ａ…軸部材、５１ａ１…突起部、５１ａ２…回転軸、５２…支持部材、５２ａ…長孔、５３…第２弾性部材、６２…第１歯車機構、６３ａ，６３ｂ，６３ｃ，７３ａ，７３ｂ，７３ｃ…調整手段、６３ａ１，７３ａ１…第１操作ボタン（操作装置）、６３ａ２，７３ａ２…第２操作ボタン（操作装置）、６３ａ３，７３ａ３…電動モーター（駆動手段）、７２…第２歯車機構、Ｌ…光軸
【図１】
2010286691.tif 000003
【図２】
2010286691.tif 000004
【図３】
2010286691.tif 000005
【図４】
2010286691.tif 000006
【図５】
2010286691.tif 000007
【図６】
2010286691.tif 000008
【図７】
2010286691.tif 000009
【図８】
2010286691.tif 000010
【図９】
2010286691.tif 000011